(57)【要約】【課題】ＬＣＤを有するデジタルカメラにおいて、光学式ファインダーは副次的なアクセサリーに過ぎず需要も限られているため、開発コストを抑える必要があった。ところが、光学ファインダーは画角ごとにレンズ構成が異なり、曲率の異なるレンズを使用する場合が多く、開発コスト抑制のための部品共通化が非常に困難であった。【解決手段】ファインダーを構成するレンズ枠の内部にレンズ端部の面上の一点に当接する当接部を配設することにより、曲率及び画角の異なるレンズを同一のレンズ枠によって保持することが可能となる。これによりファインダーを構成する部品の共通化が図られる。【選択図】図１
2010256474.tif 000002
【特許請求の範囲】
【請求項１】
少なくとも１枚以上のレンズと、
該レンズを保持するためのレンズ枠と、
該レンズ枠をカメラのアクセサリーシューに取り付けるための接続部とを有する交換式ファインダーにおいて、
該レンズ枠は異なる曲率のレンズを保持することが可能であることを特徴とした交換式ファインダー。
【請求項２】
前記レンズ枠は少なくとも１枚以上のレンズを挟み込む構造を有することを特徴とした請求項１に記載の交換式ファインダー。
【請求項３】
前記レンズ枠内に保持される少なくとも１枚以上のレンズが、弾性部材によって前記レンズ枠内部において被写体方向又は撮影者方向の何れかに圧接されていることを特徴とした請求項１又は２に記載の交換式ファインダー。
【請求項４】
前記レンズ枠は異なる曲率のレンズを保持するための部材を有することを特徴とした請求項１乃至３の何れかに記載の交換式ファインダー。
【請求項５】
前記部材は前記レンズの端部面上の一点において当接し、前記レンズを保持することを特徴とした請求項４に記載の交換式ファインダー。
【発明の詳細な説明】
【技術分野】
【０００１】
本発明は、写真用カメラに取り付ける交換式光学ファインダーのレンズ保持構造に関するものであり、更に詳しくは交換式ファインダーに組み込まれた光学ガラス製レンズの当接面の形状に関するものである。
【背景技術】
【０００２】
従来より、一眼レフレックス構造を持たないフィルムカメラには、写真の構図を確認するための光学ファインダーが必要であった。特にレンズが交換できるカメラには、そのレンズの画角に合わせた交換式の光学ファインダーを用いて撮影構図を確認することが一般的であった。
【０００３】
近年のコンパクトデジタルカメラに於いては、撮影する画像がダイレクトにカメラ内蔵ＬＣＤに表示されるものが多いため、光学ファインダーの必要性は低下した。しかし、一部の高性能デジタルカメラには、ＬＣＤ表示が必然的に有する「被写体とのタイムラグ」によって発生するシャッターレリーズの遅れを回避するために、あえて光学ファインダーを備えたものが存在する。特にレンズが交換できるカメラ、製品ラインナップに複数の画角を有するカメラを持つ場合、光学ファインダーは旧来のフィルムカメラと同様、交換式のファインダーを用意することが効率的であった。
【０００４】
また、交換式ファインダーを装着するカメラにおいて、当該カメラに装着される交換式レンズの焦点距離又は画角ごとに対応させて交換式ファインダーを交換する必要があったが、これを解決した技術が特許文献１に示されている。
【先行技術文献】
【特許文献】
【０００５】
【特許文献１】特開２００２−０４０５２２号公報
【発明の概要】
【発明が解決しようとする課題】
【０００６】
しかしながら、ＬＣＤを有するデジタルカメラにおいて、光学式ファインダーは副次的なアクセサリーに過ぎず需要も限られているため、開発コストを抑える必要があった。ところが、光学ファインダーは前述のごとく画角ごとにレンズ構成が異なる場合が多く、開発コスト抑制のための部品共通化が非常に困難であった。
【０００７】
上記問題を解決するために、光学レンズ、レンズ枠を共通化し、画角を決めるための画枠のみを変更したものが考案されている。この場合、ファインダーの画角は画枠の変更によって自由に変えることができるが、ファインダー倍率は一定となるため画角を狭くした場合は画枠が相対的に小さくなり、被写体が見難くなるという問題があった。
【０００８】
また、使用するレンズを研磨ガラスではなく射出成型した透明プラスチックとし、レンズそのものの形状自由度を上げてレンズ枠の共通化に成功した例もある。しかしながら、需要の少ない交換式ファインダーに金型代の高い射出成型のプラスチックレンズを用いることは開発コストの増加を招き、結果コストを下げることが困難となっていた。また、プラスチックレンズは小型化が難しいという点もあった。
【課題を解決するための手段】
【０００９】
上記課題を解決するためになされた第一の発明は、少なくとも１枚以上のレンズと、該レンズを保持するためのレンズ枠と、該レンズ枠をカメラのアクセサリーシューに取り付けるための接続部とを有する交換式ファインダーにおいて、該レンズ枠は異なる曲率のレンズを保持することが可能であることを特徴とした交換式ファインダーを提供することである。
【００１０】
上記課題を解決するためになされた第二の発明は、前記レンズ枠は少なくとも１枚以上のレンズを挟み込む構造を有することを特徴とした請求項１の交換式ファインダーを提供することである。
【００１１】
上記課題を解決するためになされた第三の発明は、前記レンズ枠内に保持される少なくとも１枚以上のレンズが、弾性部材によって前記レンズ枠内部において被写体方向又は撮影者方向の何れかに圧接されていることを特徴とした請求項１又は２に記載の交換式ファインダーを提供することである。
【００１２】
上記課題を解決するためになされた第四の発明は、前記レンズ枠は異なる曲率のレンズを保持するための部材を有することを特徴とした請求項１乃至３の何れかに記載の交換式ファインダーを提供することである。
【００１３】
上記課題を解決するためになされた第五の発明は、前記部材は前記レンズの端部面上の一点において当接し、前記レンズを保持することを特徴とした請求項４記載の交換式ファインダーを提供することである。
【発明の効果】
【００１４】
本発明の交換式ファインダーにおいて、レンズ枠内部にレンズ端部の面上の一点に当接する当接部を成型することにより、曲率及び画角の異なるレンズを同一のレンズ枠によって保持することが可能となる。
【００１５】
また、この２種類の当接面を有するプラスチック製レンズ枠を２つに分割し、レンズを上下から保持することにより、レンズの保持を容易にし、且つ、組立作業性を向上させることができる。
【００１６】
さらに、レンズ構成が前後に分割された２群構成である場合、この２つのレンズエレメントの間に弾性部材を配置し、この弾性力を用いてレンズ枠内部の前後両端にレンズを圧接させることで、組立の容易な、レンズ保持ガタのないファインダーを得ることができる。
【図面の簡単な説明】
【００１７】
【図１】本発明による交換式ファインダーの外観図である。
【図２】当該交換式ファインダーの下部を示したである。
【図３】当該交換式ファインダーの断面図を示したである。
【図４】当該交換式ファインダーの断面図を示したである。
【図５】図３のレンズ当接部の拡大図である。
【図６】図４のレンズ当接部の拡大図である。
【図７】曲率の異なるレンズが当接部に当接している際の当接部の拡大図である。
【図８】当該交換式ファインダー内に弾性部材が配設された図である。
【発明を実施するための形態】
【００１８】
以下に図面を参照して本発明による交換式ファインダーの実施例を示す。
【実施例】
【００１９】
図１は本発明による交換式ファインダーの外観図である。図２は当該交換式ファインダーの下部を示したもの、図３、図４は交換式ファインダーの断面図を示したものである。また、図５は図３のレンズ当接部の拡大図であり、図６は図４のレンズ当接部の拡大図である。図７は曲率の異なるレンズが当接部に当接している際の当接部の拡大図である。図８は当該交換式ファインダー内にゴム製弾性部材が配設された図である。
【００２０】
図１に示す通り、レンズ枠１は当該交換式ファインダーを上下に分割した際、上側のレンズ枠であり、レンズ枠２は下側のレンズ枠である。各レンズ枠はビス５、６によって互いに締結されている。尚、本実施例ではレンズ枠１、２をビスで締結させる例をあげたが、接着や溶着による締結でも本発明を実現することができる。
【００２１】
図２に示す通り、レンズ枠２に、当該交換式ファインダーをカメラのアクセサリーシューに取り付けるための接続部材３が４本のビス７、８、９と１０とによって締結されている。
【００２２】
当該交換式ファインダーの内部構造は、図３と図４とで示される通りであり、夫々、異なるレンズ構成である。
【００２３】
図３に示す通り、レンズ枠１、２の内側にガラス製のレンズＬ１、Ｌ２、Ｌ３、Ｌ４とＬ５とが配設されている。また、Ｌ４には画角決定のための画枠（不図示）が蒸着されている。
【００２４】
レンズ枠１、２は共に内部にレンズを保持するための当接部１ａ、１ｂ、１ｃと１ｄとを有しており、各当接部にレンズＬ５を当接させることにより、レンズＬ５をレンズ枠内で保持している。
【００２５】
図４に示す通り、当該交換式ファインダーのレンズ構成は図３で示されているレンズ構成と画角が異なり、ガラス製のレンズＬ６、Ｌ７、Ｌ８、Ｌ９とＬ１０とを有する。レンズ枠は図３と同じレンズ枠１、２から構成され、レンズＬ１０は１ａ、１ｂ、１ｃと１ｄとに当接している。また、Ｌ９には画角決定のための画枠（不図示）が蒸着されている。
【００２６】
図５と図６とで示す通り、当接部１ａ、１ｂ、１ｃと１ｄとは各レンズ端部面上の一点において当接する。
【００２７】
また、図７より、異なる曲率のレンズを配設しても、レンズ枠１、２は当該レンズを保持することが可能となる。また、破線部は各レンズを透過したレンズ光線であり、各当接部は当該レンズ光線よりも外側にある。
【００２８】
尚、レンズＬ１乃至Ｌ４、及び、レンズＬ６乃至レンズＬ９も曲率及びレンズ厚が異なるレンズ構成であるが、弾性素材４をレンズ間に介すことによって、各レンズをレンズ枠１、２内にメカ構造上安定的に固定される。
【００２９】
また、図８に示す通り、レンズ構成が前後に分割された２群構成である場合、この２つのレンズＬ１１とＬ１２の間に角断面形状のゴム製弾性部材１１を配置し、当該部材が有する弾性力を用いて、レンズ枠１、２の被写体側と撮影者側との両側の端部に各レンズを圧接させる。これにより、組立性が容易で、且つ、メカ構造上安定的にレンズを固定した交換式ファインダーを得ることが可能となる。
【００３０】
また、ゴム製弾性部材１１を巻きバネや板バネなどに変えても同様の効果が得られる。
【００３１】
このとき、当接されるレンズの面は球面又は平擦り面である。
【００３２】
上記に示す通り、レンズ枠内部にレンズ端部の面上の一点に当接する当接部を成型することにより、曲率及び画角の異なるレンズを同一のレンズ枠によって保持することが可能となる。
【００３３】
尚、当接部の形状、材質、配設位置も本実施例に限定されるものではない。本発明の要旨を逸脱しない範囲において、種々なる態様で実施することができる。
【符号の説明】
【００３４】
１  レンズ枠１
２  レンズ枠２
３  接続部材
４  弾性素材
５  ビス
６  ビス
７  ビス
８  ビス
９  ビス
１０  ビス
１１  ゴム製弾性部材
Ｌ１  レンズ
Ｌ２  レンズ
Ｌ３  レンズ
Ｌ４  レンズ
Ｌ５  レンズ
Ｌ６  レンズ
Ｌ７  レンズ
Ｌ８  レンズ
Ｌ９  レンズ
Ｌ１０  レンズ
Ｌ１１  レンズ
Ｌ１２  レンズ
【図１】
2010256474.tif 000003
【図２】
2010256474.tif 000004
【図３】
2010256474.tif 000005
【図４】
2010256474.tif 000006
【図５】
2010256474.tif 000007
【図６】
2010256474.tif 000008
【図７】
2010256474.tif 000009
【図８】
2010256474.tif 000010